(57)【要約】【課題】  ユーザがポイントメイクを行う際に便利な化粧台および化粧台による制御をコンピュータで実現するためのプログラムを提供する。【解決手段】  ユーザの像を撮像する撮像部と、撮像部を支持するとともに、撮像部により撮像された画像を表示する画像表示部と、画像表示部に表示するユーザの像の範囲を変更するユーザ指示を受け付ける受付部と、受付部により受け付けたユーザ指示にしたがって、撮像部のユーザに対する向きと撮影倍率との少なくとも一方の変更による撮像範囲の変更と、撮像部により撮像された画像のうち、画像表示部に表示する画像の範囲の変更との少なくとも一方を行う制御部とを備える。【選択図】      図１
2006026226.tif 000002
【特許請求の範囲】
【請求項１】
ユーザの像を撮像する撮像部と、
前記撮像部を支持するとともに、前記撮像部により撮像された画像を表示する画像表示部と、
前記画像表示部に表示するユーザの像の範囲を変更するユーザ指示を受け付ける受付部と、
前記受付部により受け付けたユーザ指示にしたがって、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行う制御部と
を備えたことを特徴とする化粧台。
【請求項２】
請求項１に記載の化粧台において、
前記撮像部は、前記画像表示部から着脱可能である
ことを特徴とする化粧台。
【請求項３】
請求項１または請求項２に記載の化粧台において、
前記ユーザによる前記化粧台の使用状態を検出する検出部を備え、
前記制御部は、前記検出部による検出結果に応じて、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行う
ことを特徴とする化粧台。
【請求項４】
化粧道具に着脱可能な撮像部と、
前記撮像部により撮像された画像を表示する画像表示部と、
前記画像表示部に表示するユーザの像の範囲を変更するユーザ指示を受け付ける受付部と、
前記受付部により受け付けたユーザ指示にしたがって、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行う制御部と
を備えたことを特徴とする化粧台。
【請求項５】
請求項１から請求項４のいずれか１項に記載の化粧台による制御をコンピュータで実現するためのプログラム。
【発明の詳細な説明】
【技術分野】
【０００１】
本発明は、化粧台および化粧台による制御をコンピュータで実現するためのプログラムに関する。
【背景技術】
【０００２】
化粧を行う際に平面鏡などの鏡を備えた鏡台が用いられている（例えば、特許文献１参照）。このような鏡台を用いて化粧を行う際、目や口など特定部分の化粧（いわゆるポイントメイク）に際しては、ユーザは鏡にその特定部分を近づけて化粧を行うか、または手鏡などを用いている。
【特許文献１】特開平２−３６８０７号公報
【発明の開示】
【発明が解決しようとする課題】
【０００３】
しかし、鏡に特定部分を近づける場合には、ユーザ自身の体により照明光が遮られてしまうことがあるとともに、顔を近づけることにより、鏡にユーザの息が掛かって鏡が曇ったり、鏡に顔の一部が接触して鏡が汚れたりすることがある。また、手鏡を用いる場合には、その手鏡を把持するために片方の手が塞がってしまう。
本発明は、ユーザがポイントメイクを行う際に便利な化粧台および化粧台による制御をコンピュータで実現するためのプログラムを提供することを目的とする。
【課題を解決するための手段】
【０００４】
請求項１に記載の化粧台は、ユーザの像を撮像する撮像部と、前記撮像部を支持するとともに、前記撮像部により撮像された画像を表示する画像表示部と、前記画像表示部に表示するユーザの像の範囲を変更するユーザ指示を受け付ける受付部と、前記受付部により受け付けたユーザ指示にしたがって、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行う制御部とを備えたことを特徴とする。
【０００５】
請求項２に記載の化粧台は、請求項１に記載の化粧台において、前記撮像部は、前記画像表示部から着脱可能であることを特徴とする。
請求項３に記載の化粧台は、請求項１または請求項２に記載の化粧台において、前記ユーザによる前記化粧台の使用状態を検出する検出部を備え、前記制御部は、前記検出部による検出結果に応じて、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行うことを特徴とする。
【０００６】
請求項４に記載の化粧台は、化粧道具に着脱可能な撮像部と、前記撮像部により撮像された画像を表示する画像表示部と、前記画像表示部に表示するユーザの像の範囲を変更するユーザ指示を受け付ける受付部と、前記受付部により受け付けたユーザ指示にしたがって、前記撮像部の前記ユーザに対する向きと撮影倍率との少なくとも一方の変更による撮像範囲の変更と、前記撮像部により撮像された画像のうち、前記画像表示部に表示する画像の範囲の変更との少なくとも一方を行う制御部とを備えたことを特徴とする。
【０００７】
請求項５に記載のプログラムは、請求項１から請求項４のいずれか１項に記載の化粧台による制御をコンピュータで実現することを特徴とする。
【発明の効果】
【０００８】
本発明によれば、ユーザがポイントメイクを行う際に便利な化粧台および化粧台による制御をコンピュータで実現するためのプログラムを提供することができる。
【発明を実施するための最良の形態】
【０００９】
以下、図面に基づいて、本発明の実施形態について詳細に説明する。
なお、本実施形態では、コンピュータとカメラとからなる化粧台を例に挙げて説明を行う。コンピュータは、本発明のプログラムを予め記憶しているものとする。
化粧台１は、図１に示すように、液晶モニタなどの画像表示部２、制御部３、マウス４、キーボード５を備えたコンピュータ１０とカメラ６とからなる。
【００１０】
なお、カメラ６は、動画の撮像が可能な撮像装置であり、不図示の駆動部によって角度が可変なアーム７により撮像範囲を変更可能である。カメラ６は、図１に示すように、画像表示部２の一部に支持され、制御部３の指示にしたがって動作を行う。
なお、カメラ６は、請求項の「撮像部」に対応し、画像表示部２は、請求項の「画像表示部」に対応する。また、制御部３、マウス４、キーボード５は、請求項の「受付部」に対応し、制御部３は、請求項の「制御部」に対応する。
【００１１】
ユーザが化粧台１を使用する場合、まず、撮像部６はユーザの像を撮像し、制御部３に供給する。そして、制御部３はこの画像を左右反転して、画像表示部２に表示させる。このようにカメラ６により撮像された画像を反転して表示させることにより、ユーザは鏡と同様に画像表示部２を使用することができる。図２Ａに画像表示部２の画像表示例を示す。
【００１２】
ユーザにより、マウス４やキーボード５などの操作部材を介して、カメラ６による撮像範囲の変更が指示された場合、制御部３は、カメラ６のアーム７の角度を変更する。ユーザは、このような指示を行うことにより、画像表示部２の方を向いたまま、側面寄りの方向や上面寄りの方向から撮像した画像を観察することができる。
さらに、本発明の特徴である目や口など特定部分の化粧（いわゆるポイントメイク）の際の動作について図３のフローチャートを用いて説明する。
【００１３】
撮像部６はユーザの像を撮像し（ステップＳ１）、制御部３はこの画像を左右反転して、画像表示部２に表示させる（ステップＳ２）。そして、ポイントメイクを行う際には、ユーザは、マウス４やキーボード５などの操作部材を介して、拡大したい部分を選択する。例えば、図２Ａに示すように顔全体が画像表示部２に表示されている場合、マウス４を介して顔の一部分（例えば、目の部分）を選択する。
【００１４】
制御部３は、ユーザにより前述したような画像表示部２に表示するユーザの像の範囲をする指示が行われたか否かを判定し（ステップＳ３）、行われたと判定すると、カメラ６により撮像された画像のうち、ユーザ指示にしたがって、選択された部分の画像を拡大する。そして、画像表示部２のサブウィンドウ２Ａに拡大した画像を表示させることにより画像表示部２に表示するユーザの像の範囲を変更する（ステップＳ４）。そして、ユーザの像の撮像を再び繰り返す。図２Ｂに、目の部分がユーザにより選択された場合の拡大表示例を示す。このような拡大表示を行うことにより、ユーザは、ポイントメイクを行っている部分を大きく、はっきりと観察することができる。なお、サブウィンドウ２Ａの位置および大きさは、ユーザにより指定可能にすると良い。
【００１５】
また、画像表示部２に表示するユーザの像の範囲を変更するために、表示範囲を変更する代わりに、アーム７の角度（請求項の「撮像部のユーザに対する向き」に対応）とカメラ６の撮影倍率との少なくとも一方を変更して、カメラ６による撮像範囲を変更するようにしても良い。また、表示範囲の変更とカメラ６による撮像範囲の変更とを組み合わせて行うようにしても良い。撮影倍率の変更は、例えば、カメラ６のズームレンズの焦点距離を制御部３の制御で変更したり、カメラ６の撮像画像データに対して補間処理を施して電子的なズームを行うことで実現される。
【００１６】
なお、化粧台１に、ユーザによる化粧台１の使用状態を検出する機能を備えるようにしても良い。例えば、ユーザが化粧台の前に座ったことを検知するセンサを設けた場合の例を図４のフローチャートを用いて説明する。
制御部３は、前述したセンサによりユーザが化粧台の前に座ったか否かを判定する（ステップＳ１１）。そして、制御部３が、ユーザが化粧台の前に座ったと判定すると、撮像部６はユーザの像を撮像し（ステップＳ１２）、制御部３はこの画像を左右反転して、画像表示部２に表示させる（ステップＳ１３）。
【００１７】
さらに、制御部３は、撮像により得られた画像に対して顔認識などを行い、使用状態が適切であるか否かを判定する（ステップＳ１４）。適切な使用状態とは、例えば、画像の中央にユーザの顔部分が存在する状態である。そして、使用状態が適切でない場合には、ユーザの顔の位置に合わせて、制御部３は、アーム７の角度とカメラ６の撮影倍率との少なくとも一方を変更する（ステップＳ１５）。そして、ユーザの像の撮像を再び繰り返す。
【００１８】
なお、使用状態が適切でない場合に、カメラ６による撮像範囲の変更を行う代わりに、画像の表示範囲を変更するようにしても良い。また、カメラ６による撮像範囲の変更と画像の表示範囲の変更とを組み合わせて行うようにしても良い。
さらに、カメラ６を以下のようにしても良い。例えば、図５Ａに示すように、カメラ１６にクリップ部１６Ａを設け、図５Ｂに示すように化粧道具に取り外し可能にしても良い。なお、カメラ１６により撮像された画像は、有線または無線を介して制御部３に供給される。なお、カメラ１６は、請求項２の「画像表示部から着脱可能である撮像部」または、請求項４の「化粧道具に着脱可能な撮像部」に対応する。
【００１９】
このように、化粧道具にカメラ１６を取り付けて撮像を行うことにより、カメラ１６は現在化粧を行っている部分の拡大画像を撮像することになる。そして、制御部３は、この拡大画像を画像表示部２に表示する。したがって、ユーザは、画像表示部２に表示された拡大画像を観察しながらポイントメイクを行うことができる。なお、カメラ１６のアーム１７は、図１で説明したカメラ６のアーム７と同様に不図示の駆動部によって角度が可変であるものとする。この駆動部に対する制御は、ユーザにより手動で行われても良いし、前述した有線または無線を介して制御部３により行われても良い。また、図３および図４のフローチャートで説明した各制御を同様に行うようにしても良い。
【００２０】
なお、図５Ａに示したカメラ１６を、図１に示したカメラ６に加えて備えるようにしても良いし、図１に示したカメラ６の代わりに備えるようにしても良い。図１に示したカメラ６の代わりに、図５Ａに示したカメラ１６を備える場合、通常の使用の際には、図１に示したカメラ６の位置に、カメラ１６を設置すれば良い。
また、図６に示すように、ユーザの後方の壁にカメラ２６を設置するようにしても良い。そして、カメラ２６により撮像された画像を、有線または無線を介して制御部３に供給する。このようにユーザの後方にカメラ２６を設置することにより、ユーザは手を使わずに合わせ鏡と同様の画像を得ることができる。したがって、髪型のセットを行う際にも、自由に両手を使うことができる。なお、カメラ２６は、図６Ａに示すようにアーム２７の不図示の駆動部によって角度が可変であるものとする。また、図６Ｂ（図６Ａをユーザの上方から見た図）に示すように、壁に沿ってカメラ２６の位置を移動可能にしても良い。カメラ２６の位置は、ユーザ操作に基づいて制御部３によって制御される。また、カメラ２６にスタンドを備えて、ユーザの後方だけでなく、側方などにも設置可能にしても良い。
【００２１】
このような後方のカメラ２６は、図５Ａを用いて説明したクリップ部１６Ａを備えたカメラ１６と同様に、図１に示したカメラ６に加えて備えるようにしても良いし、図１に示したカメラ６の代わりに備えるようにしても良い。図１に示したカメラ６の代わりに、図６Ａに示したカメラ２６を備える場合、カメラ２６を壁（またはスタンド）から着脱可能とし、通常の使用の際には、図１に示したカメラ６の位置に、カメラ２６を設置すれば良い。
【００２２】
なお、カメラ６、１６、２６により撮像された画像を、コンピュータ１０内の不図示の記憶部に記憶しておくようにしても良い。このように記憶しておくことにより、後から、様々な向き、角度から撮像した画像を同時に画像表示部２に表示させることができる。また、カメラ６、１６、２６により現在撮像されている画像を、同時に表示する構成とすれば、多方面からの画像を同時に、リアルタイムで確認することができる。
【００２３】
以上説明したように、本実施形態によれば、ユーザの像を撮像して画像表示部に画像を表示し、ユーザ指示を受け付けると、ユーザ指示にしたがって、撮像部による撮像範囲の変更と画像表示部に表示する画像の範囲との少なくとも一方を行う。したがって、ユーザがポイントメイクを行う際に、その部分を拡大表示することができるので、ユーザ自身の体により照明光が遮られてしまったり、鏡にユーザの息が掛かって鏡が曇ったり、鏡に顔の一部が接触して鏡が汚れたりするのを防ぐことができる。また、手鏡を用いる必要もないため、両手を有効に使用することができる。また、顔全体の画像と拡大画像とを並べて表示することができるので、全体と拡大部分とを交互に確認しながら化粧を行うことができる。
【００２４】
特に、本実施形態によれば、着脱可能な撮像部を備えることにより、ポイントメイクを行っている部分について、様々な角度からの画像を容易に観察することができる。また、撮像画像を、同時に表示することにより、多面鏡と同等の効果が得られる。
また、本実施形態によれば、ユーザによる化粧台の使用状態を検出し、検出結果に応じて、撮像部による撮像範囲の変更と画像表示部に表示する画像の範囲との少なくとも一方を行う。したがって、ユーザによる使用状態に応じて、より適切な範囲を撮像し、表示することができる。
【００２５】
また、本実施形態によれば、化粧道具に着脱可能な撮像部を備えることにより、ユーザの手がメイクを行っている部分を遮ってしまうことがないので、ポイントメイクを行っている部分について、様々な角度からの画像を容易に観察することができる。
なお、本実施形態では、コンピュータとカメラとからなる化粧台１を例に挙げて説明を行ったが、コンピュータおよびカメラを内蔵した専用機に本発明を適用しても良い。すなわち、本実施形態で説明した画像表示部２に代えて鏡を有する化粧台を備え、その鏡部にモニタなどの画像表示部を備えるようにしても良い。また、マウス４やキーボード５などの操作部材に代えて、タッチパネルなどを備えるようにしても良い。このような専用機は、例えばホテルやマンションなどのビルトイン家具として使用することも可能である。
【図面の簡単な説明】
【００２６】
【図１】化粧台１の全体図である。
【図２】画像表示部２の画像表示例を示す。
【図３】化粧台の動作を示すフローチャートである。
【図４】化粧台の動作を示すフローチャートである。
【図５】別のカメラ１６について説明する図である。
【図６】別のカメラ２６について説明する図である。
【符号の説明】
【００２７】
１  化粧台
２  画像表示部
３  制御部
４  マウス
５  キーボード
６，１６，２６  カメラ
７，１７，２７  アーム
１０  コンピュータ
【図１】
2006026226.tif 000003
【図２】
2006026226.tif 000004
【図３】
2006026226.tif 000005
【図４】
2006026226.tif 000006
【図５】
2006026226.tif 000007
【図６】
2006026226.tif 000008